(57)【特許請求の範囲】
【請求項１】
組立時に予め写真フィルムを装填しておき、撮影毎に前記写真フィルムを巻き上げ、撮影済の写真フィルムを取出すフィルム一体型カメラにおいて、
撮影レンズの光路の開閉により前記写真フィルムを露光するセクターを備え、  前記セクターの遮光部の前記光路を開閉する端部に、撮影時入射光を拡散させる凹凸を形成したことを特徴とするフィルム一体型カメラ。
【請求項２】
組立時に予め写真フィルムを装填しておき、撮影毎に前記写真フィルムを巻き上げ、撮影済の写真フィルムを取出すフィルム一体型カメラにおいて、
撮影レンズの光路の開閉により前記写真フィルムを露光するセクターを備え、  前記セクターの遮光部の前記光路を開閉する端部に、撮影時入射光を拡散させるテーパを形成したことを特徴とするフィルム一体型カメラ。
【請求項３】
組立時に予め写真フィルムを装填しておき、撮影毎に前記写真フィルムを巻き上げ、撮影済の写真フィルムを取出すフィルム一体型カメラにおいて、
撮影レンズの光路の開閉により前記写真フィルムを露光するセクターを備え、  前記セクターの遮光部の前記光路を開閉する端部に、撮影時入射光を拡散させる凹凸を形成し、
さらに前記凹凸に、撮影時入射光を拡散させるテーパを形成したことを特徴とするフィルム一体型カメラ。
【発明の詳細な説明】
【０００１】
【産業上の利用分野】
この発明は、組立時に予め写真フィルムを装填するフィルム一体型カメラに関するものである。
【０００２】
【従来の技術】
近年、組立時に予め写真フィルムを装填するフィルム一体型カメラが用いられ、フィルム一体型カメラは、例えば組立時に予め写真フィルムを装填し、撮影毎に写真フィルムを巻き上げ、撮影が終了すると現像所で分解して撮影済の写真フィルムを取出すものがある。
【０００３】
【発明が解決しようとする課題】
このようなフィルム一体型カメラでは、小型、簡素化のために写真フィルムの撮影範囲を規定する撮影枠と、フィルム収納室及び巻上室が一体に形成されるが、特に逆光撮影時に他の画面へ露光することを緩和するために、撮影枠とフィルム収納室や巻上室との距離を離していたため、その分小型化の障害となっている。
【０００４】
また、本体の撮影枠近傍に肉盛をすることで、フィルム面と本体の隙間を少なくし、光がフィルム収納室や巻上室側に回り込むことを防いていたが、撮影時に写真フィルムのパーフォレーションが写真フィルムの巻上をガイドするレールの端部の位置にくると、パーフォレーションにレールの端部が入り込むことがあり、ピント位置がずれたり、巻上時に引っかかって写真フィルムに傷がつく等の問題がある。
【０００５】
さらに、フィルム一体型カメラでは、小型、簡素化のために、撮影レンズの光路の開閉により写真フィルムを露光するセクターを備えているが、セクターの光路の開閉する遮光部端面が光を反射させ、撮影枠内で内面反射が生じる原因となっている。このため、金属製のセクターの場合には、プレス加工で打ち抜いた後、遮光部端面を黒塗りし、また樹脂製のセクターの場合には、遮光部端面にアラシ加工をしているが、いずれの場合にも別加工が必要であり、加工コストが嵩む原因となっている。
【０００６】
この発明は、かかる点に鑑みてなされたもので、請求項１乃至請求項３記載の発明は、小型、簡素化を可能とし、しかも光の侵入や光の漏れを防止して写真フィルムの画質の向上を図り、特に、簡単な構造でセクターの遮光部の端部での撮影時入射光の反射を低減し、内面反射を防止するフィルム一体型カメラを提供することを目的としている。
【０００７】
【課題を解決するための手段】
前記課題を解決しかつ目的を達成するために、請求項１記載の発明は、組立時に予め写真フィルムを装填しておき、撮影毎に前記写真フィルムを巻き上げ、撮影済の写真フィルムを取出すフィルム一体型カメラにおいて、撮影レンズの光路の開閉により前記写真フィルムを露光するセクターを備え、このセクターの遮光部の前記光路を開閉する端部に、撮影時入射光を拡散させる凹凸を形成したことを特徴としている。
【０００８】
請求項２記載の発明は、組立時に予め写真フィルムを装填しておき、撮影毎に前記写真フィルムを巻き上げ、撮影済の写真フィルムを取出すフィルム一体型カメラにおいて、撮影レンズの光路の開閉により前記写真フィルムを露光するセクターを備え、このセクターの遮光部の前記光路を開閉する端部に、撮影時入射光を拡散させるテーパを形成したことを特徴としている。
【０００９】
請求項３記載の発明は、組立時に予め写真フィルムを装填しておき、撮影毎に前記写真フィルムを巻き上げ、撮影済の写真フィルムを取出すフィルム一体型カメラにおいて、撮影レンズの光路の開閉により前記写真フィルムを露光するセクターを備え、このセクターの遮光部の前記光路を開閉する端部に、撮影時入射光を拡散させる凹凸を形成し、さらに凹凸に、撮影時入射光を拡散させるテーパを形成したことを特徴としている。
【００１４】
【作用】
請求項１記載の発明では、セクターの遮光部の光路を開閉する端部に、撮影時入射光を拡散させる凹凸を形成しており、撮影時に凹凸により端部での反射光を拡散して低減し、内面反射を防止できる。
【００１５】
請求項２記載の発明では、セクターの遮光部の光路を開閉する端部に、撮影時入射光を拡散させるテーパを形成し、撮影時にテーパにより端部での反射光を拡散して低減し、内面反射を防止できる。
【００１６】
請求項３記載の発明では、セクターの遮光部の光路を開閉する端部に、撮影時入射光を拡散させる凹凸を形成し、さらに凹凸に、撮影時入射光を拡散させるテーパを形成し、撮影時に凹凸とテーパにより端部での反射光をさらに拡散して低減し、内面反射を防止できる。
【００２１】
【実施例】
以下、この発明のフィルム一体型カメラを図面に基づいて詳細に説明する。図１はフィルム一体型カメラの正面図、図２はフィルム一体型カメラの平面図、図３はフィルム一体型カメラの後カバーを開いた状態を示す図、図４は図３のＩＶ−ＩＶ線に沿う断面図である。
【００２２】
このフィルム一体型カメラ１は、写真フィルムが装填された状態で市販に供される簡易なカメラで、写真フィルムがカメラの組立工程で装填され、ユーザーの写真フィルムの装填や巻き戻し等の操作が不要になり、ユーザーは直ちに撮影することができる。
【００２３】
このフィルム一体型カメラ１は、本体２の前後に前カバー３と後カバー４とを組み付けて構成され、前側中央には撮影レンズ５が設けられ、撮影レンズ５の上方位置にはファインダー６が設けられ、ファインダー６の近傍にはストロボ発光窓７が設けられている。
【００２４】
ストロボ発光窓７は横長に配置され、撮影レンズ５から離すことで、ストロボ発光が撮影に悪影響しないようにしている。フィルム一体型カメラ１の右側にはグリップ部８が設けられ、グリップ部８の上部にはレリーズボタン９が設けられている。また、グリップ部８の上部の切欠８ａからは巻き上げノブ１０の一部が露出しており、この巻き上げノブ１０を回転することで撮影済の写真フィルムが巻き上げられる。
【００２５】
本体２の中央には、撮影枠１１が設けられ、この撮影枠１１を挟んで左右の一方にフィルム収納室１２が、他方に巻上室１３が設けられている。また、フィルム収納室１２に近接して電池室１４が設けられ、この電池室１４に紙面の表方向から電池１５が収納される。
【００２６】
本体２の撮影枠１１には保持枠１６が組み付けられ、保持枠１６には撮影レンズ５が組み込まれたレンズ枠１７が組み付けられている。保持枠１６とレンズ枠１７との間にセクター１８が組み付けられている。セクター１８は、レリーズボタン９を押すと、シャッター機構によって作動し、撮影レンズ５の光路Ｌを開閉し、これにより写真フィルムＦを露光する。
【００２７】
撮影枠１１は、写真フィルムＦの撮影範囲を規定し、撮影枠１１には、別体に形成した画面寸法を画定するために遮光枠２０が光密に係合して取り付けられている。遮光枠２０の内側には光を遮光するためのリブ２０ａが設けられ、このリブ２０ａにより他の画面に影響を及ぼす光線を遮断して光の侵入や光の漏れを防止する。
【００２８】
遮光枠２０の両側部２０ｂ，２０ｃには、図４に示すように係合凹部２０ｄ，２０ｅが係合され、一方の係合凹部２０ｄはフィルム収納室１２の壁２１に形成された係合凸部２１ａに嵌合され、他方の係合凹部２０ｅは巻上室１３の壁２２に形成された係合凸部２２ａに嵌合し、着脱可能に取り付けられている。遮光枠２０の一方の側部２０ｂが壁２１に連接されてフィルム収納室１２の一部を構成し、遮光枠２０の他方の側部２０ｃが壁２２に連接されて巻上室１３の一部を構成している。
【００２９】
このように、遮光枠２０が着脱可能になっており、画面寸法の異なる遮光枠と交換することで、フルサイズ、パノラマサイズ、ハイビジョンサイズ等の撮影が可能である。また、遮光枠２０によりフィルム収納室１２の一部を構成すると共に、巻上室１３の一部を構成しており、撮影枠１１とフィルム収納室１２や巻上室１３との距離を短くして小型化し、しかもフィルム収納室１２や巻上室１３側への光の侵入や光の漏れを防止することができる。
【００３０】
フィルム収納室１２には、写真フィルムＦを巻いたスプール２３が装填され、巻上室１３には写真フィルムＦを巻き上げるパトローネ２４が装填される。遮光枠２０の上側にはスプロケット２５が回動可能に設けられ、このスプロケット２５は写真フィルムＦのパーフォレーションＦ１と係合し、写真フィルムＦの巻上によって回転して不図示のカウンタを回転して撮影駒枚数を表示する。
【００３１】
遮光枠２０の上下には、写真フィルムＦの巻上をガイドするレール２０ｆ，２０ｇが設けられ、このレール２０ｆ，２０ｇのフィルム収納室１２側の一部に、写真フィルムＦのパーフォレーションＦ１より大きいガイド部２０ｈ，２０ｉが形成されている。
【００３２】
そして、ガイド部２０ｈ，２０ｉと同じ高さ又はそれより少し低い面でガイド部２０ｈ，２０ｉをつなぐ凸部２０ｊがあり、写真フィルムＦとの隙間を少なくすることによりフィルム収納室１２への光の侵入を防いでいる。
【００３３】
また、レール２０ｆ，２０ｇの巻上室１３側の一部に写真フィルムＦのパーフォレーションＦ１より大きいガイド部やガイド部をつなぐ凸部を形成してもよく、この場合にはガイド部及び凸部により巻上室１３側への光の侵入や光の漏れを防止する。
【００３４】
また、写真フィルムＦのパーフォレーションＦ１にガイド部２０ｈ，２０ｉが入り込むことがなく、写真フィルムＦの位置が一定でピント位置がずれることが防止される。また、巻上時に写真フィルムＦのパーフォレーションＦ１にガイド部２０ｈ，２０ｉが引っかかることがなく、円滑に巻き上げられる。
【００３５】
次に、図５乃至図９に基づいて、撮影レンズの光路の開閉により写真フィルムを露光するセクターについて説明する。図５の実施例のセクター１８は、遮光部の光路を開閉する端部１８ａに凹凸１８ｂを形成し、この凹凸１８ｂは保持枠１６の露光開口部１６ａに対応した部分を直線で山谷にした形状になっている。図６の実施例のセクター１８は、同様に遮光部の光路を開閉する端部１８ａに凹凸１８ｂを形成しているが、この凹凸１８ｂは保持枠１６の露光開口部１６ａに対応した部分を曲線で山谷にした形状になっている。このように、セクター１８の遮光部の光路を開閉する端部１８ａに凹凸１８ｂを形成しており、黒染め等の後加工やアラシ加工等の別加工することなく、凹凸１８ｂにより端部１８ａでの反射光を拡散して低減し、内面反射を防止できる。
【００３６】
図７の実施例のセクター１８は、遮光部の光路を開閉する端部１８ａにテーパ１８ｃを形成し、このテーパ１８ｃは保持枠１６の露光開口部１６ａに対応した部分を撮影レンズ５側を向く傾斜面にした形状になっている。図８の実施例のセクター１８は、遮光部の光路を開閉する端部１８ａにテーパ１８ｃを形成し、このテーパ１８ｃは保持枠１６の露光開口部１６ａに対応した部分を写真フィルムＦ側を向く傾斜面にした形状になっている。このように、セクター１８の遮光部の光路を開閉する端部１８ａにテーパ１８ｃを形成しており、黒染め等の後加工やアラシ加工等の別加工することなく、テーパ１８ｃにより端部１８ａでの反射光を拡散して低減し、内面反射を防止できる。
【００３７】
図９の実施例のセクター１８は、遮光部の光路を開閉する端部１８ａに凹凸１８ｂにし、さらにテーパ１８ｃを形成している。この凹凸１８ｂは、曲線で山谷にした形状になっているが、曲線で山谷にした形状にしてもよい。また、テーパ１８ｃは、撮影レンズ５側を向く傾斜面にした形状になっているが、写真フィルムＦ側を向く傾斜面にした形状にしてもよい。このように、セクター１８の遮光部の光路を開閉する端部１８ａに凹凸１８ｂに形成し、さらに凹凸１８ｂにテーパ１８Ｃを形成しており、黒染め等の後加工やアラシ加工等の別加工することなく、凹凸１８ｂとテーパ１８ｃにより端部１８ａでの反射光をさらに拡散して低減し、内面反射を防止できる。
【００３８】
【発明の効果】
前記したように、請求項１記載の発明は、セクターの遮光部の光路を開閉する端部に、撮影時入射光を拡散させる凹凸を形成したから、黒染め等の後加工やアラシ加工等の別加工することなく、凹凸による簡単な構造で、撮影時に端部での反射光を拡散して低減し、内面反射を防止できより画質が向上する。
【００３９】
請求項２記載の発明は、セクターの遮光部の光路を開閉する端部に、撮影時入射光を拡散させるテーパを形成したから、黒染め等の後加工やアラシ加工等の別加工することなく、テーパによる簡単な構造で、撮影時に端部での反射光を拡散して低減し、内面反射を防止できより画質が向上する。
【００４０】
請求項３記載の発明は、セクターの遮光部の光路を開閉する端部に、撮影時入射光を拡散させる凹凸を形成し、さらに凹凸に、撮影時入射光を拡散させるテーパを形成したから、黒染め等の後加工やアラシ加工等の別加工することなく、凹凸とテーパによる簡単な構造で、撮影時に端部での反射光をさらに拡散して低減し、内面反射を防止できより画質が向上する。
【図面の簡単な説明】
【図１】フィルム一体型カメラの正面図である。
【図２】フィルム一体型カメラの平面図である。
【図３】フィルム一体型カメラの前カバーを開いた状態を示す図である。
【図４】図３のＩＶ−ＩＶ線に沿う断面図である。
【図５】セクターの構成を示す図である。
【図６】セクターの他の実施例の構成を示す図である。
【図７】セクターの他の実施例の構成を示す図である。
【図８】セクターの他の実施例の構成を示す図である。
【図９】セクターの他の実施例の構成を示す図である。
【符号の説明】
１  フィルム一体型カメラ
２  本体
１１  撮影枠
２０  遮光枠
２０ａ  リブ
Ｆ  写真フィルム
【図１】
0003559872.tif 000002
【図２】
0003559872.tif 000003
【図３】
0003559872.tif 000004
【図４】
0003559872.tif 000005
【図５】
0003559872.tif 000006
【図６】
0003559872.tif 000007
【図７】
0003559872.tif 000008
【図８】
0003559872.tif 000009
【図９】
0003559872.tif 000010